(57)【特許請求の範囲】
【請求項１】
商品棚の前面に配した凹嵌部に取付部材を介して電子棚札を装着するようにした電子棚札用取付装置において、
前記取付部材は、前記凹嵌部の上係止縁に係合可能な上側掛止部を有する内部材と、凹嵌部の下係止縁に係合可能な下側掛止部を有する外部材により構成し、前記内部材の上側掛止部の下面には前記外部材の下側掛止部との間であって、該掛止部の略厚み幅内に、両掛止部を離間方向へ付勢する正面視左右方向に延びる板形状である弾性部を一体に形成し、前記内部材を前記外部材に対し嵌め合い固定して前記弾性部により上側掛止部と下側掛止部を弾性的に、且つ、外部材にガイドされて上下動可能とし、さらに、前記外部材には前方部に棚札側を装着可能に形成したことを特徴とする電子棚札用取付装置。
【請求項２】
上記弾性部が、前記掛止部の左右両側端からそれぞれ内方へ突出するＶ型板バネであることを特徴とする請求項１記載の電子棚札用取付装置。
【請求項３】
上記内部材は、前記弾性部の下端に底板を形成し、該底板に下向きに突出する凸部を弾性的に上下動可能に形成し、前記外部材の前方部には、電子棚札を装着するホルダーの下側レール部を嵌め合うレール下溝を幅方向に沿って形成し、該下溝内に前記内部材の凸部を嵌め合い突出させる開口部を形成したことを特徴とする請求項１叉は２記載の電子棚札用取付装置。
【請求項４】
上記ホルダーの上側レール部を嵌め合うレール上溝が、内部材の上部前面と外部材の上端縁との間に形成されている請求項３記載の電子棚札用取付装置。
【発明の詳細な説明】
【０００１】
【発明の属する技術分野】
本発明は電子棚札用取付装置、詳しくはスーパーマーケット等の小売販売店において、商品陳列用の商品棚に商品の価格等を表示する棚札、特に電子棚札を装着するため使用される取付装置に関する。
【０００２】
【従来の技術】
従来の商品棚は、一般に、その前面に溝状の凹嵌部が一体に形成され、該凹嵌部に嵌め込む棚札用取付装置又はカードホルダーにより値札を取り付けるようにしているが、商品棚の前記凹嵌部は、商品棚の種類やメーカー規格により大きさや形状を異にしているため、それら商品棚に適合する棚札用取付装置又はカードホルダーを用意する必要がある。
その不具合を解消せんとして従来、前記凹嵌部への取付部材（取付具）を、上下の掛止壁部を弾性変形により上下動可能に形成し、その上下掛止壁部を凹嵌部に内側から圧接して取り付けることによって、凹嵌部の大きさに対応可能な汎用性のあるカードホルダーが知られている（特開平８−３３５０４２号公報参照）。
【０００３】
【発明が解決しようとする課題】
しかしながら、上記カードホルダーは、その取付部材（取付具）２に取り付けられたホルダー部材１には商品のプライスカード、すなわち通常の値札を取り付けるものである。また、上記カードホルダーは、その取付部材２が上下の嵌入部２２で構成される横向Ｕ字型すなわち前方突出型である。そのため、図５から明らかなように、弾性変形する上下嵌入部２２に所定のストロークを確保するためには、取付部材２の前方突出長さが大きくなり、それだけホルダー部材１つまり値札４が商品棚３から離れて顧客側に近づくことになる。
しかるに、上記カードホルダーにおいては、顧客が商品棚から商品を取り出す際に値札４又はホルダー部材１の邪魔になるばかりでなく、顧客の手が値札に当たり落下して値札が損傷する虞がある。
【０００４】
特に、値札が電子値札である場合には、その厚みのために前記プライスカードの場合よりも前方突出長さが大きくなるので、前述した従来不具合は問題であり、顧客の不便および高価な電子値札の損傷を回避する必要性から、電子値札用取付装置として上記従来構造の採用は好ましくないものである。
本発明は、上記従来事情に鑑みその不具合を解消して、商品棚の種類に対応する汎用性を維持しながら、電子棚札の前方突出長さを最小にして顧客の利便性を確保するとともに高価な電子棚札を保護することを目的とする。
また、本発明は、取付部材を商品棚に堅固に取り付けるとともに、取付部材と棚札ホルダーが別体である場合でも、取付部材に棚札ホルダーを安定して取り付けることが可能な電子棚札用取付装置を提供することを目的とする。
【０００５】
【課題を解決するための手段】
斯る本発明は、商品棚の前面に配した凹嵌部に取付部材を介して電子棚札を装着するようにした電子棚札用取付装置において、前記取付部材は、前記凹嵌部の上係止縁に係合可能な上側掛止部を有する内部材と、凹嵌部の下係止縁に係合可能な下側掛止部を有する外部材により構成し、前記内部材の上側掛止部の下面には前記外部材の下側掛止部との間であって、該掛止部の略厚み幅内に、両掛止部を離間方向へ付勢する正面視左右方向に延びる板形状である弾性部を一体に形成し、前記内部材を前記外部材に対し嵌め合い固定して前記弾性部により上側掛止部と下側掛止部を弾性的に、且つ外部材にガイドされて上下動可能とし、さらに、前記外部材には前方部に棚札側を装着可能に形成したことを特徴とする。
本発明によれば、取付部材は、上下の掛止部を別体の二部材により成形してそれらを組み付けるようにする。そして、上下の掛止部で弾性部を圧縮させることにより両掛止部の間隔が縮小し、弾性部を復元させることにより両掛止部の間隔が伸長するので、商品棚の凹嵌部の大きさが異なる場合でも該凹嵌部に内側から嵌め込み、弾性部が復元する付勢力により両掛止部を凹嵌部の上下係止縁に圧接して取付部材を凹嵌部に掛止させることができる。そして、前記弾性部を前記掛止部の略厚み幅内に配設したので、取付部材が凹嵌部から前方へ突出する長さを短縮させ、棚札ホルダーに装着される電子棚札の前方突出長さを短縮することができる。
【０００６】
上記弾性部は、弾性力や成形性等を考慮すれば、板バネなどのように、前記掛止部の正面視左右方向に延びる弾性帯板形状であることが好ましい。そして、特に、取付部材をプラスチック製とする場合には、射出成形により一体成形が可能な形状、例えば、前記上側又は下側の掛止部の左右両側端からそれぞれ内方へ突出するＶ型板バネとする（請求項２）。
【０００７】
上記取付部材の好ましい具体的構成は、上記取付部材が、外部材とそれに嵌め合い固定される内部材とにより構成され、内部材には、その上端に前記上側掛止部が形成されるとともに、前記弾性部を一体に形成してその下端に底板を形成し、該底板に下向きに突出する凸部を弾性的に上下動可能に形成し、外部材には、その下端に前記下側掛止部が形成されるとともに、それより前方部に前記ホルダーの下側レール部を嵌め合うレール下溝を幅方向に沿って形成し、該下溝内に前記内部材の凸部を嵌め合い突出させる開口部を形成するものである（請求項３）。
一方、上記ホルダーの上側レール部を嵌め合うレール上溝は、内部材の上部前面と外部材の上端縁との間に形成する（請求項４）。
【０００８】
【発明の実施の形態】
本発明の実施の形態を図面に基づいて説明すれば、図１は商品棚１に本発明の取付装置Ａを用いて電子棚札Ｂを装着した部分斜視図、図２は図１の断面側面図であって、取付装置Ａは、商品棚１００に嵌め込み状に取り付けられる取付部材１と、その複数個の取付部材１にわたり組み付けられるレール状の棚札ホルダー３０とにより構成され、該棚札ホルダー３０に電子棚札Ｂが装着される。
すなわち、商品棚１００には、その前面に沿って凹嵌部１０２が一体に形成され、該凹嵌部１０２の上下の各端にそれぞれ内向きに突出した係止縁１０２ａ，１０２ｂを有して、その係止縁１０２ａ，１０２ｂに取付部材１の掛止部１１，２１を内側から圧接することにより取付装置Ａが取り付けられる。
【０００９】
取付部材１は、図６に示すように、前記上側掛止部１１を有する内部材１０と下側掛止部２１を有する外部材２０との二部材により構成され、その外部材２０に内部材１０を嵌め合って取付部材１が形成される。
なお、内部材１０及び外部材２０は、商品棚１００の前記凹嵌部１０２に対面する側を後面とし、反対側を前面とする。
【００１０】
内部材１０は、成形性に優れたプラスチック材、例えばポリアセタールなどのプラスチックを射出成形して、上側掛止部１１の左右両側に側壁を構成するガイド部１２を下向き一体に形成するとともに、掛止部１１の下面に弾性部１４を介して底板１３を一体に形成する。
【００１１】
掛止部１１は、前面を肉抜き状に開口させた横長の略矩形体であって、その前面部を所定厚さ後退させた形状にして下端に段差面１５を形成している。
この掛止部１１は、その上面の左右両側前縁にそれぞれ上向きに突出する掛止片１１１ａ，１１１ｂを設けるとともに、上面の後縁には前記掛止片１１１ａと１１１ｂとの間の区間に掛止片１１１ｃを上向きに突出させる。それにより、掛止片１１１ａ及び１１１ｂと掛止片１１１ｃとの間に上側掛合部１１ａを形成する。
この上側掛合部１１ａは、前記商品棚１００の係止縁１０２ａに嵌め合って上側掛止部１１を凹嵌部１０２に掛止するようにする。
なお、前側の掛止片１１１ａ及び１１１ｂは、後側の掛止片１１１ｃより若干高く配置して、上側掛止部１１を前記凹嵌部１０２の前方より係止縁１０２ａに嵌め合いしやすいようにする。
【００１２】
ガイド部１２は、前記掛止部１１の左右側面に配置して該掛止部１１より下方へ突設するが、その各後面と掛止部１１の後面との間には段差１２ａを形成し、各下半部の前面は、掛止部１１の前記段差面１５前面から垂下した形状とする。
またガイド部１２は、その各下端を前記底板１３から適宜間隔をおいた上位に配置して、前記弾性部１４の上下方向の伸縮動に支障がないようにする。
【００１３】
底板１３は、前記掛止部１１の厚み幅すなわち前後幅と等しい前後幅、詳しくは掛止部１１の後面から前記段差面１５の前面、つまりガイド部１２の前面までの前後幅を有し、この底板１３と前記掛止部１１下端との間であって前記左右のガイド部１２の内側に弾性部１４が配置される。したがって、弾性部１４は、掛止部１１の厚み幅内に配置される。
また、底板１３は、その左右両側に、前記ガイド部１２と等幅の補助ガイド部１３ａを一体に形成して配置し、底面の前縁中央部には、底面の一部を下方へ吊り桁状に僅か突出させたバネ片１６を一体に形成し、該バネ片１６の中央に凸部１６ａを下向きに突出する（図６（２）参照）。
【００１４】
弾性部１４は、前記掛止部１１及び底板１３の厚み幅（前後幅）と等しい板幅を有する板バネ形状に構成する。詳しくは、二つのＶ型板バネ１４ａ，１４ｂをそれぞれ開口側が外側に向くよう逆向きに並設し、それらの各上下端をそれぞれ掛止部１１、底板１３に連続するよう一体に形成したものである。
板バネ１４ａ，１４ｂは、そのＶ型の各頂部の前面にそれぞれ突起１７を僅か前方へ突設する。
【００１５】
外部材２０もまた、前記内部材１０と同一のプラスチック材で射出成形して形成され、前記内部材１０を上方より嵌め合うケース部２２の下端部に下側掛止部２１を一体に配置した横長の略矩形箱体である。
ケース部２２は、前板２３の左右両側にそれぞれ前板と共に嵌入溝２４ａを形成する平面視コの字形のガイド部２４を有し、後面を開口し、底面２５は前記下側掛止部２１の上面と共有する。
【００１６】
下側掛止部２１は、その前壁１２１ａと後壁１２１ｂとにより、下面が開口する長溝を左右全長にわたり形成して下側掛合部２１ａを構成し、この掛合部２１ａを前記商品棚１００の係止縁１０２ｂに嵌め合って下側掛止部２１を凹嵌部１０２に掛止するようにする。
この下側掛止部２１は、その後面を前壁１２１ｂ側へ向く傾斜面にするとともに、後壁１２１ａを前壁１２１ｂより若干短く配置し、それにより、掛止部２１を前記凹嵌部１０２の前方より係止縁１０２ｂに嵌め合いしやすいようにする。
【００１７】
また、下側掛止部２１の前部位には、下側掛合部２１ａに平行なレール下溝２６を形成する。すなわち、レール下溝２６は、前記掛止部２１の後壁１２１ａと前記前板２３との間に下面が開口する長溝状に形成される。
【００１８】
上記ケース部２２には、前記内部材１０を挿入して嵌め合うが、前記前板２３には、その中央部に係合孔２７を開口して該係合孔２７に前記内部材１０の板バネ１４ａ，１４ｂに設けた突起１７が嵌め合い係止されるようにし、上端部に前記突起１７が前板２３の後面に乗り上げしやすいように斜面２８を設ける。
また、上記ケース部２２の底面２５には、前記レール下溝２６に貫通する長孔２９を設け、この長孔２９に前記バネ片１６が嵌め合い前記凸部１６ａがレール下溝２６内に突出するようにする。
【００１９】
上記外部材２０に内部材１０を組み付けるには、図６（１）に示すように、外部材２０の嵌入溝２４ａに内部材１０の左右補助ガイド部１３ａを一致させた状態に配置して、その補助ガイド部１３ａを嵌入溝２４ａに差込みながら底板１３を嵌入溝２４ａ内に差し込む。それに続いて、内部材１０の前面側を外部材２０の前板２３に摺接させながら内部材１０を押し下げて、左右の前記ガイド部１２を嵌入溝２４ａ内に挿入すると、内部材１０側の前記突起１７が外部材２０の係合孔２７に嵌め合い係合する。この突起１７と係合孔２７との係合により、内部材１０が外部材２０に嵌め合い状一体的に組み付けられ、取付部材１が構成される（図５参照）。
この取付部材１は、内部材１０と外部材２０との組み付けにより、取付部材１の前上部にレール上溝１５ａが形成される。詳しくは、内部材１０の上側掛止部１１の上部前面と外部材２０の前板２３上部との間、つまり上側掛止部１１に形成した前記段差面１５上方にレール上溝１５ａが形成される。
また、内部材１０の掛止部１１とガイド部１２との間に形成した段差１２ａにより、掛止部１１の後面は、両ガイド部１２，２４を嵌め合った状態で、外部材２０のガイド部２４後面と面一に配置される。
【００２０】
次に、上記取付部材１を商品棚１００の凹嵌部１０２に取り付ける操作について、図７により説明すれば、前記外部材２０のケース部２２の左右両側を指で摘み、前記内部材１０の上側掛止部１１ａを凹嵌部１０２の係止縁１０２ａに内側から嵌め合う（図７（１）参照）。
次いで、上記ケース部２２を強く押し上げることにより、上側掛止部１１が、弾性部１４の板バネ１４ａ，１４ｂをその弾力に抗して圧縮させることにより下動し、下側掛止壁部２１との間隔を縮小させる（同（２）参照）。すなわち、下側掛止部２１の掛合部２１ａが凹嵌部１０２の下側係止縁１０２ｂ内に位置させる。
この上下の掛止部１１，２１すなわち掛合部１１ａ，２１ａの間隔が縮小した状態で、下側掛止部２１を凹嵌部１０２側に押し込み、該掛止部２１の前壁１２１ａを係止縁１０２ｂに押し当てる（同（３）参照）。
【００２１】
その後に、前記ケース部２２の押し上げを止めると、外部材２０が前記板バネ１４ａ，１４ｂの弾力により下動し、下側掛合部２１ａが係止縁１０２ｂに嵌め合う（同（３）二点破線参照）。取付部材１は凹嵌部１０２に取り付けられる。
したがって、上記取付部材１は、上下の掛止部１１，２１が板バネ１４ａ，１４ｂの弾力により付勢されてそれぞれ係止縁１０２ａ，１０２ｂに圧接した状態で取り付けられる。
【００２２】
上記取付部材１は凹嵌部１０２に適宜間隔をおいて複数個が取り付けられ（図８参照）、それら取付部材１にわたり棚札ホルダー３０が取り付けられる（同図参照）。
棚札ホルダー３０は、図８及び図１，２に示すように、前面に電子棚札Ｂを装着するように断面コ型の長尺レール部材であり、その前面側の上下端には、棚札用レール部３１ａ，３１ｂを有し、後面側には、上下間隔をおいて取付用レール部３２ａ，３２ｂを配設したものである。
この棚札ホルダー３０は、前記取付用レール部の上側レール部３２ａを、上記取付部材１のレール上溝１５ａに位置合わせし、下側レール部３２ｂを前記レール下溝２６に位置合わせしてスライドさせることにより取付部材１に取り付けられる。
【００２３】
上記凹嵌部１０２と取付部材１との取付状態および取付部材１と棚札ホルダー３０との取付状態を図２〜図４に示している。
その図２から知れるように、弾性部１４、すなわち板バネ１４ａ，１４ｂの前後幅は、内部材１０の掛止部１１の厚み幅Ｓ（図８（３）も参照）に等しいので、取付部材１が凹嵌部１０２から突出する長さはきわめて小さくなり、電子棚札Ｂの厚みがプライスカードに比べて大きいとしても、電子棚札Ｂの前方突出長さＬを最小に設定できる。なお、掛止壁部１１の厚み幅Ｓ（弾性部の前後幅）は１０ｍｍ以下、詳しくは７ｍｍ程度としている。
【００２４】
そして、取付部材１は、その掛止部１１，２１が前記板バネ１４ａ，１４ｂの弾力によりそれぞれ凹嵌部１０２の係止縁１０２ａ，１０２ｂに圧接され、堅固に取り付けされている（図３参照）。
また、棚札ホルダー３０は、前記取付部材１のレール下溝２６に挿入された下側レール部３２ｂ上に、前記底板１３に設けたバネ片１６の凸部１６ａが弾性的に圧接される（図４参照）。したがって、棚札ホルダー３０のレール部３２ａ及び３２ｂをレール上溝１５ａ及びレール下溝２６にスライドし停止したときに、該停止位置で棚札ホルダー３０が固定されるとともに、上下のレール部３２ａ及び３２ｂがガタ付くことなく安定して取り付けられる。
【００２５】
電子棚札Ｂは、棚札ホルダー３０の棚札用レール部３１ａ，３１ｂ間にスライドして挿入することにより装着される。
この電子棚札Ｂは、液晶などからなるデジタル表示器を備え、店内の管理室等に設置された棚札コントローラによる制御操作に基づいて該当商品の値段をリアルタイムに表示するものである。なお、電子棚札Ｂは、太陽電池により電力が得られ、またコントローラとは無線（赤外線）により交信制御されるので、商品棚１００周りに配線は不要である。
【００２６】
なお、上記実施の形態において、取付部材１を内部材１０と外部材２０との二部材からなる場合を説明したが、一又は三以上の部材で構成されることもよく、また射出成形品に限定されるものではない。
また、取付部材１と棚札ホルダー３０が別部材である場合を説明したが、それらが一体構造であってもよく、その場合には、棚札ホルダーを持って取付部材を商品棚の凹嵌部に取り付け操作をする。
さらに、実施の形態における弾性部１４は、二個のＶ型板バネ１４ａ，１４ｂからなる場合を説明したが、掛止部の略厚み幅内に配置されて所定の弾性機能を具備すれば、その個数や形状に限定されるものではない。
【００２７】
【発明の効果】
本発明によれば、取付部材の上下掛止部が弾性的に上下動可能であるので、商品棚の凹嵌部の大きさが異なってもそれに対応する汎用性を有し、また、弾性部を前記掛止部の略厚み幅内に配設したので、取付部材が凹嵌部から前方へ突出する長さを短縮させ、装着される電子棚札の前方突出長さを短縮することができる。
したがって、顧客側通路に大きく突出して、顧客の手が電子棚札に接触する従来不具合を解消して、商品棚から商品を取り出す顧客の利便性を確保するとともに、電子棚札を損傷や故障などから保護することができる。さらに、上下掛止部の上下動作を安定かつ円滑ならしめるので、取付部材の取り付け操作を簡便にし、しかも、上下の掛止部がガイドされることにより上下方向以外には曲がり難くなるので、弾性部により凹嵌部に確実に圧接して掛止され、取付部材の不用意な脱落を防止して、堅固に凹嵌部へ取り付け固定することができる。
【００２８】
また、弾性部が商品棚に対して左右方向（奥行き方向に直交する方向）へ延びる形状であるので、弾性部の伸縮量を大きくする場合でも、弾性部の前後長さが増長することなく、取付部材の前後突出長さを最小に維持したまま伸縮ストロークを確保することができる。
特に、請求項２のように、弾性部をＶ型板バネ形状とすれば、弾力性を確保できるとともに射出成形による一体成形が可能であって製作上の利便性も向上する。
【００２９】
そして、請求項３及び４によれば、取付部材を内部材と外部材との二部材により構成するので、比較的複雑な構造からなる内部材及び外部材をそれぞれ射出成形するなど容易かつ安価に製作することができる。
特に、棚札ホルダーの下側レール部を圧接固定する手段、すなわち、弾性的に上下動可能な凸部を内部材の底板に形成し、外部材のレール下溝に前記凸部を嵌め合い突出させる開口部を形成したので、前記手段を外部材側に構成する場合に比べて取付部材を著しく小型化することができる。そのため、取付部材を成形品とした場合でも、電子棚札と商品棚との距離の短縮化が可能である。
【図面の簡単な説明】
【図１】本発明の電子棚札用取付装置を示す斜視図である。
【図２】図１のＸ−Ｘ線に沿う断面図である。
【図３】図２のＹ−Ｙ線に沿う断面図である。
【図４】図２のＺ−Ｚ線に沿う断面図である。
【図５】取付部材の前面側斜視図である。
【図６】取付部材の組み付けを説明するもので、その（１）は内部材と外部          材とを分離した後面側斜視図、同（２）は内部材の前面側斜視図であ          る。
【図７】取付部材を凹嵌部に取り付けする操作を説明する断面図である。
【図８】取付部材を凹嵌部に取り付けた状態の斜視図である。
【符号の説明】
Ａ：取付装置            Ｂ：電子棚札              １：取付部材
１０：内部材            １１：上側掛止部        １１ａ：上側掛合部
１２：ガイド部        １３ａ：補助ガイド部        １３：底板
１４：弾性部        １４ａ，１４ｂ：板バネ      １５ａ：レール上溝
１６：バネ片          １６ａ：凸部
２０：外部材            ２１：下側掛止部      ２１ａ：下側掛合部
２４：ガイド部        ２４ａ：嵌入溝              ２６：レール下溝
２９：長孔              ３０：棚札ホルダー
３２ａ：上側レール部    ３２ｂ：下側レール部      １００：商品棚
１０２：凹嵌部        １０２ａ：上側係止縁      １０２ｂ：下側係止縁
【図１】
0003614083.tif 000002
【図２】
0003614083.tif 000003
【図３】
0003614083.tif 000004
【図４】
0003614083.tif 000005
【図５】
0003614083.tif 000006
【図６】
0003614083.tif 000007
【図７】
0003614083.tif 000008
【図８】
0003614083.tif 000009